【手続補正書】
【提出日】令和3年1月28日(2021.1.28)
【手続補正１】
【補正対象書類名】明細書
【補正対象項目名】００７８
【補正方法】変更
【補正の内容】
【００７８】
上記に開示されたすべての実施形態の態様と要素は、複数の追加的実施形態を提供するために、他の実施形態の態様または要素と、如何なるようにも、および／または組み合わせにおいて組み合わせることができる。
上述の実施形態の一部又は全部は、以下の付記のようにも記載され得るが、以下には限られない。
（付記１）
少なくとも放射要素の第１列を含むフェーズドアレイアンテナを動作させる方法であって、
第１無線周波数（ＲＦ）信号を第１ユーザに、前記放射要素の第１列におけるすべての前記放射要素を通して送信することと、
第２ＲＦ信号を第２ユーザに、前記放射要素の第１列における前記放射要素の、前記放射要素の第１列におけるすべての前記放射要素よりも少ない前記放射要素を含んでいる第１サブセットを通して送信することを備え、
前記第１ユーザは、前記フェーズドアレイアンテナから第１距離におり、前記第２ユーザは、前記フェーズドアレイアンテナから、前記第１距離よりも短い第２距離にいることを特徴とする方法。
（付記２）
前記放射要素の第１列における前記放射要素の第２サブセットを、前記第１および第２ＲＦ信号の供給源から選択的に絶縁するように構成できるスイッチが、前記放射要素の第１列に沿って提供されることを特徴とする付記１に記載の方法。
（付記３）
前記スイッチはＰＩＮダイオードであることを特徴とする付記２に記載の方法。
（付記４）
前記第１および第２ＲＦ信号の前記供給源は、伝送線を介して、前記放射要素の第１における前記放射要素の前記第１サブセットに結合され、前記スイッチを通して、前記放射要素の第１列における前記放射要素の前記第２サブセットに選択的に結合されているトランシーバであり、前記スイッチは、前記放射要素の第１サブセットにおける、前記トランシーバから最も遠い前記放射要素が前記伝送線に接続する接合点から約［０．２５＋（ｎ＊０．５）］λの電気的距離に位置し、ここにおいて、ｎは０以上の値を有する整数であり、λは前記フェーズドアレイアンテナの動作の周波数帯の中心周波数に対応する波長であることを特徴とする付記２または３に記載の方法。
（付記５）
前記第１ＲＦ信号を前記第１ユーザに、前記放射要素の第１列におけるすべての前記放射要素を通して送信した後、および前記第２ＲＦ信号を前記第２ユーザに、前記放射要素の第１列における前記放射要素の前記第１サブセットを通して送信する前に、制御信号を、前記スイッチの状態を変更するために前記スイッチに送信することを更に備えていることを特徴とする付記２から４の何れかに記載の方法。
（付記６）
前記制御信号は直流制御信号を備えていることを特徴とする付記５に記載の方法。
（付記７）
前記フェーズドアレイアンテナの放射パターンは、前記スイッチが第１状態のときは第１仰角ビーム幅を有し、前記スイッチが第２状態のときは第２仰角ビーム幅を有し、前記第２仰角ビーム幅は、前記第１仰角ビーム幅とは異なっていることを特徴とする付記２から６の何れかに記載の方法。
（付記８）
前記スイッチは第１スイッチであり、前記フェーズドアレイアンテナは、前記放射要素の第１列に沿って提供される第２スイッチを更に備えていることを特徴とする付記２から７の何れかに記載の方法。
（付記９）
前記フェーズドアレイアンテナの前記放射パターンは、前記第１スイッチが第１状態であり、前記第２スイッチが第１状態のときは第３仰角ビーム幅を有し、前記第３仰角ビーム幅は、前記第１および第２仰角ビーム幅の両者とは異なっていることを特徴とする付記２から８の何れかに記載の方法。
（付記１０）
前記第１スイッチは、前記放射要素の第１列における隣接する放射要素の第１対の間に、前記放射要素の第１列に沿って提供され、前記第２スイッチは、前記隣接する放射要素の第１対の一部ではない少なくとも１つの放射要素を含む、前記放射要素の第１列における隣接する放射要素の第２対の間に、前記放射要素の第１列に沿って提供されることを特徴とする付記２から９の何れかに記載の方法。
（付記１１）
前記第１および前記第２スイッチの両者は、前記放射要素の第１列における隣接する放射要素の第１対の間に、前記放射要素の第１列に沿って提供されることを特徴とする付記２から１０の何れかに記載の方法。
（付記１２）
前記第１スイッチと前記第２スイッチは、独立して制御できることを特徴とする付記２から１１の何れかに記載の方法。
（付記１３）
前記フェーズドアレイアンテナは、放射要素の第２列を更に含み、前記方法は、
第３ＲＦ信号を前記第１ユーザに、前記放射要素の第２列におけるすべての前記放射要素を通して送信することと、
第４ＲＦ信号を前記第２ユーザに、前記放射要素の第２列における前記放射要素の、前記放射要素の第２列におけるすべての前記放射要素よりも少ない放射要素を含んでいる第１サブセットを通して送信することを更に備え、
前記第１および第３ＲＦ信号は同時に送信され、前記第２および第４ＲＦ信号は同時に送信され、
前記スイッチは第１スイッチであり、
前記放射要素の第２列における前記放射要素の第２サブセットを、前記第３および第４ＲＦ信号の供給源から選択的に絶縁するように構成できる第２スイッチが、前記放射要素の第２列に沿って提供されることを特徴とする付記２から１２の何れかに記載の方法。
（付記１４）
第３ＲＦ信号を第３ユーザに、前記放射要素の第１列における前記放射要素の、前記第１サブセットよりも少ない前記放射要素の第１列における前記放射要素を含んでいる第２サブセットを通して送信することを更に備え、
前記第３ユーザは、前記フェーズドアレイアンテナから、前記第２距離よりも短い第３距離であることを特徴とする付記１から１３の何れかに記載の方法。
（付記１５）
フェーズドアレイアンテナであって、
第１トランシーバと、
複数の第１放射要素と、
前記第１放射要素と前記第１トランシーバとの間に電気的に介在されている第１フィードネットワークと、
前記第１フィードネットワークに沿って結合されている第１スイッチを備え、
前記第１スイッチの状態は、前記第１トランシーバに電気的に接続されている前記第１放射要素の数を調整するために選択できることを特徴とするフェーズドアレイアンテナ。
（付記１６）
前記第１放射要素は、第１直線状アレイに配置され、前記直線状アレイの放射パターンは、前記第１スイッチが第１状態のときは第１仰角ビーム幅を有し、前記第１スイッチが第２状態のときは第２仰角ビーム幅を有し、第２仰角ビーム幅は前記第１仰角ビーム幅とは異なっていることを特徴とする付記１５に記載のフェーズドアレイアンテナ。
（付記１７）
前記第１スイッチは、前記第１フィードネットワークの伝送線セグメントと基準電圧との間に結合されているＰＩＮダイオードであることを特徴とする付記１５または１６に記載のフェーズドアレイアンテナ。
（付記１８）
前記ＰＩＮダイオードは、前記第１放射要素の１つが前記伝送線セグメントに接続する接合点から約［０．２５＋（ｎ＊０．５）］λの電気的距離に位置し、ここにおいて、ｎは０以上の値を有する整数であり、λは前記フェーズドアレイアンテナの動作の周波数帯の中心周波数に対応する波長であることを特徴とする付記１７に記載のフェーズドアレイアンテナ。
（付記１９）
前記第１スイッチに制御信号を提供するように構成されている切り替え制御ネットワークを更に備えていることを特徴とする付記１５から１９の何れかに記載のフェーズドアレイアンテナ。
（付記２０）
前記制御信号は、直流制御信号を備えていることを特徴とする付記１５から２０の何れかに記載のフェーズドアレイアンテナ。
（付記２１）
前記第１フィードネットワークに沿って結合されている第２スイッチを更に備えていることを特徴とする付記１５から２１の何れかに記載のフェーズドアレイアンテナ。
（付記２２）
前記放射要素の第１列の前記放射パターンは、前記第１スイッチが第１状態であり、前記第２スイッチが第１状態のときは第３仰角ビーム幅を有し、前記第３仰角ビーム幅は、前記第１および第２仰角ビーム幅の両者とは異なっていることを特徴とする付記２１に記載のフェーズドアレイアンテナ。
（付記２３）
前記第１スイッチは、隣接する放射要素の第１対の間に、前記直線状アレイに沿って提供され、前記第２スイッチは、前記隣接する放射要素の第１対の一部ではない少なくとも１つの放射要素を含む、隣接する放射要素の第２対の間に、前記第１直線状アレイに沿って提供されることを特徴とする付記２１または２２に記載のフェーズドアレイアンテナ。
（付記２４）
前記第１および前記第２スイッチの両者は、隣接する放射要素の第１対の間に、前記第１直線状アレイに沿って提供されることを特徴とする付記２１から２３の何れかに記載のフェーズドアレイアンテナ。
（付記２５）
前記第１および第２スイッチは、約［０．２５＋（ｎ＊０．５）］λの電気的距離で分離され、ここにおいて、ｎは０以上の値を有する整数であり、λは前記フェーズドアレイアンテナの動作の前記周波数帯の中心周波数に対応する波長であることを特徴とする付記２１から２４の何れかに記載のフェーズドアレイアンテナ。
（付記２６）
前記第１スイッチと前記第２スイッチは独立して制御できることを特徴とする付記２１から２６の何れかに記載のフェーズドアレイアンテナ。
（付記２７）
前記第１スイッチは、前記直線状アレイにおける前記放射要素の第２サブセットを、前記トランシーバから選択的に絶縁するように構成できることを特徴とする付記１５から２６の何れかに記載のフェーズドアレイアンテナ。
（付記２８）
更に、
複数の追加的トランシーバと、
複数の放射要素の追加的直線状アレイと、
前記追加的直線状アレイと前記追加的トランシーバのそれぞれ１つとの間に電気的に介在されている複数の追加的フィードネットワークと、
前記追加的フィードネットワークのそれぞれに沿って結合されている複数の追加的スイッチを備え、
前記各追加的スイッチの状態は、前記追加的トランシーバのそれぞれ１つに電気的に接続されている前記それぞれの追加的直線状アレイにおける前記放射要素の数を調整するために選択できることを特徴とする付記１５から２７の何れかに記載のフェーズドアレイアンテナ。
（付記２９）
複数の行と複数の列を有する二次元アレイに配置されている複数の放射要素を有するフェーズドアレイアンテナを動作させる方法であって、
複数のトランシーバのそれぞれ１つにより、前記それぞれの列における前記放射要素に提供される前記ＲＦ信号を位相重み付けすることにより、時間スロット毎に前記フェーズドアレイアンテナにより生成されるアンテナビームの方位角を指し示す方向を選択することと、
前記それぞれのトランシーバに電気的に接続されている各列における放射要素の数を選択するためのスイッチを使用して、前記時間スロット毎に前記フェーズドアレイアンテナにより生成される前記アンテナビームの仰角ビーム幅を選択することを備えていることを特徴とする方法。
（付記３０）
フェーズドアレイアンテナであって、
第１トランシーバと、
前記第１トランシーバに電気的に接続されている第１複数の放射要素と、
前記第１トランシーバに選択的に接続されるように構成されている第２複数の放射要素を備え、
前記フェーズドアレイアンテナは、前記第２複数の放射要素が前記第１トランシーバに接続されているときは第１仰角ビーム幅を有し、前記第２複数の放射要素が前記第１トランシーバから切断されているときは、前記第１仰角ビーム幅よりも大きい第２仰角ビーム幅を有することを特徴とするフェーズドアレイアンテナ。
（付記３１）
スイッチが、前記第２複数の放射要素を前記第１トランシーバに接続する伝送線に沿って介在されていることを特徴とする付記３０に記載のフェーズドアレイアンテナ。
（付記３２）
前記スイッチは、前記伝送線と基準電圧との間に結合されているＰＩＮダイオードであることを特徴とする付記３１に記載のフェーズドアレイアンテナ。
（付記３３）
前記ＰＩＮダイオードは、前記第１複数の放射要素における前記放射要素の１つが前記伝送線に接続する接合点から約［０．２５＋（ｎ＊０．５）］λの電気的距離に位置し、ここにおいて、ｎは０以上の値を有する整数であり、λは前記フェーズドアレイアンテナの動作の前記周波数帯の中心周波数に対応する波長であることを特徴とする付記３２に記載のフェーズドアレイアンテナ。
（付記３４）
直流制御信号を前記スイッチに提供するように構成されている切り替え制御ネットワークを更に備えていることを特徴とする付記３１から３３の何れかに記載のフェーズドアレイアンテナ。
（付記３５）
前記第１および第２スイッチは、前記第１トランシーバから同じ電気的距離において、前記フィードネットワークの伝送線に接続することを特徴とする付記２１から２４の何れかに記載のフェーズドアレイアンテナ。
（付記３６）
前記フィードネットワークは、主伝送線と、各それぞれの第１放射要素を前記主伝送線に接続する複数の伝送線分岐を備え、
前記ＰＩＮダイオードは、前記伝送線分岐の最初の分岐と前記主伝送線との間の接合点から約［０．２５＋（ｎ＊０．５）］λの電気的距離において、前記伝送線分岐の前記最初の分岐上に位置し、ここにおいて、ｎは０以上の値を有する整数であり、λは前記フェーズドアレイアンテナの動作の前記周波数帯の中心周波数に対応する波長であることを特徴とする付記１７に記載のフェーズドアレイアンテナ。
【手続補正２】
【補正対象書類名】特許請求の範囲
【補正対象項目名】全文
【補正方法】変更
【補正の内容】
【特許請求の範囲】
【請求項１】
フェーズドアレイアンテナであって、
第１トランシーバと、
複数の第１放射要素と、
前記第１放射要素と前記第１トランシーバとの間に電気的に介在されている第１フィードネットワークと、
前記第１フィードネットワークに沿って結合されている第１スイッチを備え、
前記第１スイッチの状態は、前記第１トランシーバに電気的に接続されている前記第１放射要素の数を調整するために選択できることを特徴とするフェーズドアレイアンテナ。
【請求項２】
前記第１放射要素は、第１直線状アレイに配置され、前記第１直線状アレイの放射パターンは、前記第１スイッチが第１状態のときは第１仰角ビーム幅を有し、前記第１スイッチが第２状態のときは第２仰角ビーム幅を有し、第２仰角ビーム幅は前記第１仰角ビーム幅とは異なっていることを特徴とする請求項１に記載のフェーズドアレイアンテナ。
【請求項３】
前記第１スイッチは、前記第１フィードネットワークの伝送線セグメントと基準電圧との間に結合されているＰＩＮダイオードであることを特徴とする請求項１または２に記載のフェーズドアレイアンテナ。
【請求項４】
前記ＰＩＮダイオードは、前記第１放射要素の１つが前記伝送線セグメントに接続する接合点から約［０．２５＋（ｎ＊０．５）］λの電気的距離に位置し、ここにおいて、ｎは０以上の値を有する整数であり、λは前記フェーズドアレイアンテナの動作の周波数帯の中心周波数に対応する波長であることを特徴とする請求項３に記載のフェーズドアレイアンテナ。
【請求項５】
前記第１スイッチに直流制御信号を提供するように構成されている切り替え制御ネットワークを更に備えていることを特徴とする請求項１から４の何れかに記載のフェーズドアレイアンテナ。
【請求項６】
前記第１フィードネットワークに沿って結合されている第２スイッチを更に備えていることを特徴とする請求項１から５の何れかに記載のフェーズドアレイアンテナ。
【請求項７】
前記第１スイッチは、隣接する放射要素の第１対の間に、前記第１直線状アレイに沿って提供され、前記第２スイッチは、前記隣接する放射要素の第１対の一部ではない少なくとも１つの放射要素を含む、隣接する放射要素の第２対の間に、前記第１直線状アレイに沿って提供されることを特徴とする請求項６に記載のフェーズドアレイアンテナ。
【請求項８】
前記第１および前記第２スイッチの両者は、隣接する放射要素の第１対の間に、前記第１直線状アレイに沿って提供されることを特徴とする請求項６または７に記載のフェーズドアレイアンテナ。
【請求項９】
複数の追加的トランシーバと、
複数の放射要素の追加的直線状アレイと、
前記追加的直線状アレイと前記追加的トランシーバのそれぞれ１つとの間に電気的に介在されている複数の追加的フィードネットワークと、
前記追加的フィードネットワークのそれぞれに沿って結合されている複数の追加的スイッチと、を更に備え、
前記各追加的スイッチの状態は、前記追加的トランシーバのそれぞれ１つに電気的に接続されているそれぞれの前記追加的直線状アレイにおける前記放射要素の数を調整するために選択できることを特徴とする請求項１から７の何れかに記載のフェーズドアレイアンテナ。
【請求項１０】
前記第１フィードネットワークは、主伝送線と、各それぞれの第１放射要素を前記主伝送線に接続する複数の伝送線分岐を備え、
前記ＰＩＮダイオードは、前記伝送線分岐の最初の分岐と前記主伝送線との間の接合点から約［０．２５＋（ｎ＊０．５）］λの電気的距離において、前記伝送線分岐の前記最初の分岐上に位置し、ここにおいて、ｎは０以上の値を有する整数であり、λは前記フェーズドアレイアンテナの動作の周波数帯の中心周波数に対応する波長であることを特徴とする請求項３に記載のフェーズドアレイアンテナ。